(57)【特許請求の範囲】
【請求項１】
ハウジング(２)に回転自在に支持した推進ネジ部材(２３)と、その推進ネジ部材(２３)に連結されて締付け状態から緩め方向へ１回転以上回転される回転操作部(２４)と、その回転操作部(２４)の１回転未満の回転によって全閉状態から全開状態へ切換えられる閉鎖部材(１２)と、上記の推進ネジ部材(２３)とほぼ同軸上で軸心回りに回転自在に配置した表示筒(３１)と、その表示筒(３１)の外面に形成されて上記の閉鎖部材(１２)の開閉状態を表示する開閉表示部(４１)と、その開閉表示部(４１)の表示領域内で上記の表示筒(３１)を上記の緩め方向へ付勢する弾性手段(３８)と、上記の回転操作部(２４)から上記の表示筒(３１)に締付け方向へ回転力を伝達するのに対して上記の緩め方向へは回転力の伝達を解除する係合具(３２)とを備える、ことを特徴とする開閉表示装置付きバルブ。
【請求項２】
請求項１の開閉表示装置付きバルブにおいて、
前記の推進ネジ部材(２３)の外周に配置した捩りコイルバネ(３８)によって前記の弾性手段を構成し、その捩りコイルバネ(３８)の一端(３８ａ)を前記の表示筒(３１)に連結すると共に他端(３８ｂ)を前記ハウジング(２)の固定側部分に連結した、ことを特徴とする開閉表示装置付きバルブ。
【請求項３】
請求項１又は２の開閉表示装置付きバルブにおいて、
前記ハウジング(２)に蓋部材(２０)の外ネジ(２０ａ)を進退可能に螺合すると共に、上記の蓋部材(２０)の内ネジ(２０ｂ)に前記の推進ネジ部材(２３)を進退可能に螺合し、
上記の蓋部材(２０)の上記の外ネジ(２０ａ)に螺合させたロックナット(２１)の外周面を前記の表示筒(３１)によって覆い、
その表示筒(３１)内に前記の係合具(３２)および前記の弾性手段(３８)を装着した、ことを特徴とする開閉表示装置付きバルブ。
【請求項４】
ハウジング(２)に回転自在に支持した推進ネジ部材(２３)と、その推進ネジ部材(２３)に連結されて締付け状態から緩め方向へ１回転以上回転される回転操作部(２４)と、その回転操作部(２４)の１回転未満の回転によって全閉状態から全開状態へ切換えられる閉鎖部材と、上記の推進ネジ部材(２３)とほぼ同軸上で上記ハウジング(２)に回転不能に支持した中空リング(４６)と、その中空リング(４６)内に挿入した表示具(４７)と、その表示具(４７)を全開位置(Ｘ)へ付勢する押圧バネ(４８)と、上記の表示具(４７)を上記の全開位置(Ｘ)で受け止めるストッパー(４９)と、上記の推進ネジ部材(２３)と上記の回転操作部(２４)との少なくとも一方に設けられて上記の表示具(４７)を上記の押圧バネ(４８)に抗して磁力によって追従させる操作具(５０)とを備える、ことを特徴とする開閉表示装置付きバルブ。
【請求項５】
請求項４の開閉表示装置付きバルブにおいて、
前記ハウジング(２)に蓋部材(２０)の外ネジ(２０ａ)を進退可能に螺合すると共に、上記の蓋部材(２０)の内ネジ(２０ｂ)に前記の推進ネジ部材(２３)を進退可能に螺合し、
上記の蓋部材(２０)の上記の外ネジ(２０ａ)に螺合させたロックナット(２１)の外周面をカバー筒(４５)によって覆うと共に、そのカバー筒(４５)を上記ハウジング(２)に回転不能に連結し、
上記カバー筒(４５)に前記の中空リング(４６)を取り付けた、ことを特徴とする開閉表示装置付きバルブ。
【発明の詳細な説明】
【０００１】
【発明の属する技術分野】
この発明は、開閉表示装置付きバルブに関する。
【０００２】
【従来の技術】
従来のバルブでは、全閉から全開までのハンドルの回転数が１回転未満の場合には、そのバルブの固定側部分またはハンドルに円周方向へ延びる開閉表示部を設けることにより、簡素な構造で開閉状態を表示することが可能であった。
【０００３】
【発明が解決しようとする課題】
ところで、バルブの用途や使用目的などによっては、全閉から全開までにハンドルを１回転以上回転させることが要求される場合がある。
この場合、開閉表示部の全閉表示位置と全開表示位置とが周方向でオーバーラップするのを防止するため、その開閉表示部を三次元的に造る必要があり、その結果、開閉表示装置の構造が複雑になっていた。
本発明の目的は、上記の問題点を解消して簡素な構造で開閉表示を行えるようにすることにある。
【０００４】
【課題を解決するための手段】
上記の目的を達成するため、請求項１の発明は、例えば、図１から図３に示すように、開閉表示装置付きバルブを次のように構成した。
即ち、ハウジング２に回転自在に支持した推進ネジ部材２３と、その推進ネジ部材２３に連結されて締付け状態から緩め方向へ１回転以上回転される回転操作部２４と、その回転操作部２４の１回転未満の回転によって全閉状態から全開状態へ切換えられる閉鎖部材１２と、上記の推進ネジ部材２３とほぼ同軸上で軸心回りに回転自在に配置した表示筒３１と、その表示筒３１の外面に形成されて上記の閉鎖部材１２の開閉状態を表示する開閉表示部４１と、その開閉表示部４１の表示領域内で上記の表示筒３１を上記の緩め方向へ付勢する弾性手段３８と、上記の回転操作部２４から上記の表示筒３１に締付け方向へ回転力を伝達するのに対して上記の緩め方向へは回転力の伝達を解除する係合具３２とを備えたものである。
【０００５】
上記の請求項１の発明は次の作用効果を奏する。
ハンドル等の回転操作部を締付けて閉鎖部材を全閉に切換えた状態では、係合具が弾性手段の付勢力に抗して表示筒を締付け方向へ回転させて、その表示筒の開閉表示部が全閉状態を表示している。
上記の締付け状態の回転操作部を緩め方向へ回転させて閉鎖部材を開いていくと、その回転操作部によって上記の係合具が緩め方向へ回転されていくと共に、弾性手段の付勢力によって上記の表示筒も緩め方向へ回転されていく。そして、上記の閉鎖部材がほぼ全開になって上記の表示筒の開閉表示部が全開状態を表示したときに、その表示筒は、弾性手段の付勢力が作用しなくなって回転を停止する。
上記の回転操作部をさらに緩め方向へ回転していくと、係合具も緩め方向へ回転していくが、上記の表示筒は全開表示状態のままに置き残され、上記の係合具だけが緩め方向へさらに回転していく。
【０００６】
これとは逆に、その緩め状態の回転操作部を締付け方向へ回転させていくと、上記の係合具も締付け方向へ回転されていくが、その係合具は表示筒に係合するまでの空走回転領域では上記の表示筒を回転させず、前記の開閉表示部が全開表示状態に保持される。
そして、上記の回転操作部がさらに締付け方向へ回転されて係合具が表示筒に係合すると、その回転操作部に加えられた締付け方向の回転力が係合具を介して表示筒へ伝達される。これにより、その表示筒が締付け方向へ回転されていき、上記の回転操作部が締付け状態になって閉鎖部材が全閉したときに、上記の開閉表示部が全閉状態を表示するのである。
【０００７】
請求項１の発明によれば、ハンドル等の回転操作部を締付け状態から緩め方向へ１回転以上回転させる場合に、表示筒の開閉表示部が全開状態を表示したときに係合具だけを緩め方向へ回転させて上記の表示筒を置き残すことができ、これにより、全閉表示状態と全開表示状態とが周方向へオーバーラップするのを防止できる。
従って、上記の閉表示部を三次元的で複雑な構造に造る必要がなくなり、開閉表示装置を簡素化できる。
【０００８】
上記の請求項１の発明においては、請求項２の発明に示すように、前記の推進ネジ部材２３の外周に配置した捩りコイルバネ３８によって前記の弾性手段を構成し、その捩りコイルバネ３８の一端３８ａを前記の表示筒３１に連結すると共に他端３８ｂを前記ハウジング２の固定側部分に連結することが好ましい。
その請求項２の発明は、弾性手段である捩りコイルバネの装着空間として推進ネジ部材の外周空間を利用できるので、開閉表示装置をコンパクトに造れる。
【０００９】
さらには、上記の請求項１又は２の発明においては、請求項３の発明に示すように構成することが好ましい。
即ち、前記ハウジング２に蓋部材２０の外ネジ２０ａを進退可能に螺合すると共に、上記の蓋部材２０の内ネジ２０ｂに前記の推進ネジ部材２３を進退可能に螺合し、上記の蓋部材２０の上記の外ネジ２０ａに螺合させたロックナット２１の外周面を前記の表示筒３１によって覆い、その表示筒３１内に前記の係合具３２および前記の弾性手段３８を装着するのである。
その請求項３の発明によれば、上記の表示筒によってロックナットを覆うことにより、そのロックナットが誤って緩められるのを防止できる。これにより、ハウジングに対して蓋部材を適正な高さ位置に保持できる。
その結果、その蓋部材に螺合させた推進ネジ部材の締付け用螺進距離を一定に保つことが可能となり、過度の押圧または押圧不足を防止できる。
【００１０】
また、前記の目的を達成するため、請求項４の発明は、例えば図４に示すように、開閉表示装置付きバルブを次のように構成した。
即ち、ハウジング２に回転自在に支持した推進ネジ部材２３と、その推進ネジ部材２３に連結されて締付け状態から緩め方向へ１回転以上回転される回転操作部２４と、その回転操作部２４の１回転未満の回転によって全閉状態から全開状態へ切換えられる閉鎖部材と、上記の推進ネジ部材２３とほぼ同軸上で上記ハウジング２に回転不能に支持した中空リング４６と、その中空リング４６内に挿入した表示具４７と、その表示具４７を全開位置Ｘへ付勢する押圧バネ４８と、上記の表示具４７を上記の全開位置Ｘで受け止めるストッパー４９と、上記の推進ネジ部材２３と上記の回転操作部２４との少なくとも一方に設けられて上記の表示具４７を上記の押圧バネ４８に抗して磁力によって追従させる操作具５０とを備えるものである。
【００１１】
上記の請求項４の発明は次の作用効果を奏する。
ハンドル等の回転操作部を締付けて閉鎖部材を全閉に切換えた状態では、操作具が押圧バネの付勢力に抗して表示具を締付け方向へ回転させて、その表示具が全閉位置へ切換えられている。
上記の締付け状態の回転操作部を緩め方向へ回転させて閉鎖部材を開いていくと、上記の操作具が緩め方向へ回転されていくと共に、押圧バネの付勢力によって上記の表示具も緩め方向へ回転されていく。そして、上記の閉鎖部材がほぼ全開になって上記の表示具が全開位置へ切換えられたときに、その表示具はストッパーで受け止められて全開位置に保持される。
上記の回転操作部をさらに緩め方向へ回転していくと、操作具も緩め方向へ回転していくが、上記の表示具は全開位置に置き残され、上記の操作具だけが緩め方向へさらに回転していく。
【００１２】
これとは逆に、その緩め状態の回転操作部を締付け方向へ回転させていくと、上記の操作具も締付け方向へ回転されていくが、その操作具は表示具に対面するまでの空走回転領域では前記の表示具を回転させず、その表示具が全開位置に保持される。
そして、上記の回転操作部がさらに締付け方向へ回転されて表示具に対面すると、その操作具が表示具を押圧バネに抗して締付け方向へ回転させていき、上記の回転操作部が締付け状態になって前記の閉鎖部材が全閉したときに、上記の表示具が全閉位置へ切換えられるのである。
【００１３】
請求項４の発明によれば、ハンドル等の回転操作部を締付け状態から緩め方向へ１回転以上回転させる場合でも、前記の表示具が全開位置に切換えられたときに操作具だけを緩め方向へ回転させて上記の表示具を置き残すことができ、これにより、全閉表示状態と全開表示状態とが周方向へオーバーラップするのを防止できる。
従って、上記の開閉表示部を三次元的で複雑な構造に造る必要がなくなり、開閉表示装置を簡素化できる。
【００１４】
上記の請求項４の発明においては、請求項５の発明に示すように、次のように構成することが好ましい。
即ち、前記ハウジング２に蓋部材２０の外ネジ２０ａを進退可能に螺合すると共に、上記の蓋部材２０の内ネジ２０ｂに前記の推進ネジ部材２３を進退可能に螺合し、上記の蓋部材２０の上記の外ネジ２０ａに螺合させたロックナット２１の外周面をカバー筒４５によって覆うと共に、そのカバー筒４５を上記ハウジング２に回転不能に連結し、上記カバー筒４５に前記の中空リング４６を取り付けるのである。
その請求項５の発明によれば、上記のカバー筒によってロックナットを覆うことにより、そのロックナットが誤って緩められるのを防止できる。これにより、ハウジングに対して蓋部材を適正な高さ位置に保持できる。その結果、その蓋部材に螺合させた推進ネジ部材の締付け用螺進距離を一定に保って、過度の押圧または押圧不足を防止できる。
【００１５】
【発明の実施の形態】
本発明の第１実施形態を図１から図３によって説明する。
図１はバルブの縦断面図である。図２は、上記バルブに設けた開閉表示装置の展開斜視図である。図３は、上記の開閉表示装置の作動説明図である。
【００１６】
上記の図１では、本発明に係るバルブをガスボンベ用の容器弁１に適用したものを例示している。
その容器弁１のハウジング２は、ハウジング本体である下ハウジング部分２ａと、その下ハウジング部分２ａの上部にネジ止めした上ハウジング部分２ｂとを備えている。なお、その上ハウジング部分２ｂは、複数の六角穴付きボルト３によって回り止めされている。
【００１７】
上記の下ハウジング部分２ａの脚ネジがガスボンベ(図示せず)に接続可能とされ、その下ハウジング部分２ａの途中高さ部から横向きに突設した出口ノズル６にガス取出し金具(図示せず)が接続可能となっている。上記の脚ネジの下面に開口させた入口路７が、弁室８を経て出口路９へ連通されている。なお、上記の入口路７の途中部からガス放出路１０が分岐されて、そのガス放出路１０が安全弁(図示せず)へ連通される。その安全弁の形式は、破裂板式・溶栓式・破裂板と溶栓との併用式などが考えられる。
【００１８】
上記の弁室８に、閉鎖部材である金属製ダイヤフラム１２が装着される。そのダイヤフラム１２の周縁部が、押圧スリーブ１３と筒状ボルト１４を介して上記の弁室８の周壁に保密状に固定されるとともに、上記ダイヤフラム１２の中央部が、合成樹脂製の弁座１５に上側から対面される。
なお、容器弁１の組立て後には、上記の金属製ダイヤフラム１２の下側空間のガスが同上ダイヤフラム１２の上側空間を通って漏れチェック用ポート１６へ漏出してないことをチェックし、その後、図示のように、六角穴付きビス１７によって上記ポート１６を気密状に封止するようになっている。
【００１９】
前記の上ハウジング部分２ｂの上部には、上スリーブ１８と下スリーブ１９とによって構成した蓋部材２０が配置される。その蓋部材２０の外ネジ２０ａが上記の上ハウジング部分２ｂに上下方向へ進退可能に螺合され、その外ネジ２０ａにロックナット２１が螺合される。
上記の蓋部材２０の内ネジ２０ｂには推進ネジ部材２３が進退可能に螺合される。上記の推進ネジ部材２３の四角柱部分２３ａには、回転操作部であるハンドル２４を着脱可能に取り付けてある。また、同上の推進ネジ部材２３の下部の押圧部２６を中間伝動具２７と出力円盤２８とを順に介して前記の金属製ダイヤフラム１２に接当させてある。
【００２０】
上記の中間伝動具２７は、上昇バネ２９によって上記の押圧部２６へ付勢してある。
なお、前記ハンドル２４の回転トルクが上記ダイヤフラム１２へ伝達されるのは、推進ネジ部材２３の押圧部２６と中間伝動具２７の上部との間で防止され、さらには、その中間伝動具２７の下部と前記の出力円盤２８との間でも防止されるようになっている。
上記の蓋部材２０の下スリーブ１９にストップ部Ａが設けられると共に前記の中間伝動具２７の上部に受止め部Ｂが設けられ、その受止め部Ｂに対して上記ストップ部Ａが下側から対面している。
【００２１】
上記の容器弁１は次のように使用される。
前記ガスボンベからガスを取出すときには、上記ハンドル２４を平面視で反時計回りの緩め方向へ回転して、上記の推進ネジ部材２３を上向きに螺進させる。すると、金属製ダイヤフラム１２が自己の弾性復元力と入口路７から作用する圧力とによって弁座１５から離間する。これにより、ガスボンベ内のガスが、入口路７と弁室８と出口路９とを順に通って外部へ取り出される。
なお、図３に示すように、上記のハンドル２４は、締付状態から反時計回りの緩め方向へ約450度回転(1.25回転)可能に構成されている。また、前記の金属製ダイヤフラム１２は、上記ハンドル２４を同上の締付状態から緩め方向へ約180度回転(約0.5回転)したときに全閉状態から全開状態へ切換えられるようになっている。
【００２２】
上記のガス取出しを停止するときには、上記ハンドル２４を締付け方向へ回転して、上記の推進ネジ部材２３を下向きに螺進させる。すると、前記の中間伝動具２７と出力円盤２８とが下向きに押圧され、その下向き推力によって金属製ダイヤフラム１２が弁座１５へ押圧されていく。そして、上記の推進ネジ部材２３がさらに下降して前記の受止め部Ｂが前記ストップ部Ａに接当すると、上記の推進ネジ部材２３と中間伝動具２７と出力円盤２８の下降が阻止され、上記の金属製ダイヤフラム１２の閉弁移動が停止する。このため、上記の弁座１５は、過度に押圧されるのを防止でき、寿命が長くなる。
なお、上記ハンドル２４の回転操作は、作業者の人手で行う場合と、そのハンドル２４に電動機や空圧モータ等のアクチュエータを連結して、そのアクチュエータによって自動的に行う場合とが考えられる。
【００２３】
上記の容器弁１の開閉表示装置は次のように構成される。
前記の推進ネジ部材２３とほぼ同軸上で表示筒３１が軸心回りに回転自在に配置される。即ち、上記の推進ネジ部材２３の四角柱部分２３ａの下部に、係合具３２が下降を阻止した状態で回り止め状に外嵌されると共に、その係合具３２と前記ハンドル２４との間にワッシャー３３が挟み付けられる。上記の表示筒３１の上壁３５が、上記の係合具３２によって下から支持されると共に上記ワッシャー３３に回転自在に外嵌される。これにより、上記の表示筒３１の周壁３６によって前記ロックナット２１の外周面が覆われる。
【００２４】
上記の表示筒３１の上記の周壁３６と前記の上スリーブ１８との間の環状空間に、弾性手段である捩りコイルバネ３８が装着される。その捩りコイルバネ３８の上端(一端)３８ａが上記の表示筒３１の上壁３５に連結され、同上の捩りコイルバネ３８の下端(他端)３８ｂが上記ロックナット２１に連結される。
上記の捩りコイルバネ３８は、前記ハンドル２４を全閉状態から緩め方向へ約180度回転させたときに自然状態になるようにセットしてある。
さらに、前記の係合具３２から半径方向の外方へ突起３９が突出され、その突起３９が上記のバネ上端３８ａに係合可能になっている。
【００２５】
図３に示すように、前記の上ハウジング部分２ｂの外周面には開度指示マーク４０が設けられる。また、上記の表示筒３１の周壁３６の外周面には、前記の金属製ダイヤフラム１２の開閉状態を表示する開閉表示部４１が約180度の範囲で設けられる。
上記の開閉表示部４１は、周方向へ延びる開度表示帯４２と全閉位置に表示した「Ｃ」の文字と全開位置に表示した「Ｏ」の文字とによって構成される。
なお、上記の「Ｃ」及び「Ｏ」の文字に代えて、「閉」及び「開」の文字を表示してもよい。
【００２６】
上記の開閉表示装置の作動を、図１を参照しながら図３によって説明する。
ハンドル２４及び推進ネジ部材２３の回転角度が０度の締付け状態では、そのハンドル２４を平面視で時計回りの方向へ締付けて、前記ダイヤフラム１２を全閉にしてある。この締付け状態では、係合具３２の突起３９がバネ上端３８ａを時計回りの方向へ回転させて捩りコイルバネ３８に付勢力を蓄えるとともに、その係合具３２が上記のバネ上端３８ａを介して表示筒３１を時計回りの方向へ回転させて、前記の開度指示マーク４０が開閉表示部４１の「Ｃ(閉)」を指している。
【００２７】
上記の締付け状態のハンドル２４を平面視で反時計回りの方向へ緩め回転させていくと、上記の表示筒３１が次のように作動する。
上記のハンドル２４を０度から90度を経て180度の回転角度へ緩め回転させると、前記ダイヤフラム１２が半開を経てほぼ全開に操作される。これと同時に、前記の推進ネジ部材２３によって上記の係合具３２が反時計回りの方向へ回転されていくと共に、前記の捩りコイルバネ３８の付勢力によって上記の表示筒３１も反時計回りの方向へ回転されていく。そして、上記ハンドル２４の回転角度が180度付近になると、上記の捩りコイルバネ３８が自然状態に復帰して付勢力が消失するので、上記の表示筒３１の回転が停止し、前記の開度指示マーク４０が開閉表示部４１の「Ｏ(開)」を指している。
換言すれば、弾性手段である捩りコイルバネ３８は、上記の開閉表示部４１の表示領域内で上記の表示筒３１を反時計回りの緩め方向へ付勢するようになっている。
【００２８】
上記ハンドル２４を上記の180度の回転角度からさらに反時計回りの方向へ緩め回転していくと、係合具３２も反時計回りの方向へ回転されていくが、上記の捩りコイルバネ３８の付勢力が消失しているので、上記の表示筒３１が180度の回転位置に置き残され、前記の開度指示マーク４０が開閉表示部４１「Ｏ(開)」を指した状態に保持される。そして、上記ハンドル２４と推進ネジ部材２３と係合具３２だけが270度と360度の回転角度を経て450度の回転角度まで反時計回りの方向へ回転されていく。
【００２９】
これとは逆に、上記ハンドル２４を回転角度が450度の緩め状態から平面視で時計回りの締付け方向へ回転していくと、上記の係合具３２も時計回りの方向へ回転するが、180度の回転角度までは前記の突起３９が空走回転するだけで前記の表示筒３１を回転させず、このため、前記の開度指示マーク４０が開閉表示部４１の「Ｏ(開)」を指した状態に保持される。
【００３０】
そして、上記ハンドル２４がさらに時計回りの方向へ回転されて180度付近になると、上記の突起３９がバネ上端３８ａに係合して、そのハンドル２４に加えられた締付け方向の回転力が係合具３２とバネ上端３８ａとを順に介して表示筒３１へ伝達される。これにより、その表示筒３１が時計回りの方向へ回転されていき、上記ハンドル２４の回転角度がＯ度になったときに、前記の開度指示マーク４０が開閉表示部４１の「Ｃ(閉)」を指すのである。
【００３１】
上記の第１実施形態は次のように変更可能である。
前記の捩りコイルバネ３８のバネ下端３８ｂは、ハウジング２の固定側部分に連結するものであればよく、前記ロックナット２１に連結することに代えて、前記の蓋部材２０または前記の上ハウジング部分２ｂなどに連結することも可能である。
【００３２】
前記の表示筒３１を付勢する弾性手段は、上記の捩りコイルバネ３８に代えて、圧縮コイルバネやゴム等の他の種類のものを利用可能である。
前記の開閉表示部４１は、例示した開度表示帯４２に代えて、周方向へ所定の間隔をあけて設けた数値や絵記号を備えたものであってもよい。さらには、その開閉表示部４１を、「全閉」と「全開」の文字だけで構成してもよい。
【００３３】
前記の金属製ダイヤフラム１２の全閉状態から全開状態への切換えは、前記のハンドル２４の１回転未満の回転によって行われものであればよく、例示した約180度の回転に限定されるものでないことは勿論である。
また、上記ハンドル２４は、締付け状態から緩め方向へ１回転以上回転されるように構成されておればよく、前記の約450度の回転に限定されるものでないことは勿論である。
さらには、前述したようにハンドル２４に空走回転領域を設けてあるので、上記ダイヤフラム１２が例えば９０％程度開かれたときに「全開」を表示するように開度表示装置を構成しても差し支えない。
【００３４】
本発明の閉鎖部材は、例示した金属製ダイヤフラム１２に代えて、ポペット形などの別の形式の部材であってもよい。
前記の弁座１５は、例示した合成樹脂で構成することに代えて、金属で構成したものであってもよい。
【００３５】
図４は、本発明の第２実施形態を示している。図４(Ａ)は、前記の図１に相当する部分図である。図４(Ｂ)は、上記の図４(Ａ)中の４Ａ−４Ａ線矢視に相当する断面図である。
この第２実施形態は、上記の第１実施形態と同じ構成の部材には原則として同一の符号を付けてあり、その第１実施形態とは異なる構成について説明する。
【００３６】
前記の上ハウジング部分２ｂの上部にカバー筒４５が上側から回り止め状に外嵌され、そのカバー筒４５によって前記ロックナット２１の外周面が覆われる。上記カバー筒４５の上端に、透明な合成樹脂によって構成した中空リング４６が前記の推進ネジ部材２３とほぼ同軸上に取り付けられる。その中空リング４６内に挿入した磁石製の表示具４７が押圧バネ４８によって反時計回りの方向へ付勢される。その付勢された表示具４７が、図４(Ｂ)中の一点鎖線図の全開位置Ｘでストッパー４９によって受け止められる。そして、上記の推進ネジ部材２３に設けた磁石製の操作具５０によって、上記の表示具４７を上記の押圧バネ４８に抗して磁力によって追従させるようになっている。
【００３７】
ハンドル２４を時計回りの方向へ締付け回転した状態では、図４(Ｂ)中の実線図に示すように、操作具５０が表示具４７を全閉位置Ｙへ移動させている。
その締付け状態のハンドル２４を反時計回りの方向へ緩めていくと、推進ネジ部材２３を介して操作具５０が反時計回りの方向へ回転し、これと同時に、押圧バネ４８によって表示具４７が反時計回りの方向へ回転していく。次いで、その表示具４７が前記の全開位置Ｘでストッパー４９で受け止められると共に押圧バネ４８の付勢力によって上記の全開位置Ｘに保持されるのに対して、上記の推進ネジ部材２３および操作具５０だけが反時計回りの方向へ回転されていくのである。
上記とは逆に、上記の緩め状態のハンドル２４を時計回りの方向へ締付け回転していくと、まず、操作具５０が空走回転し、次いで、その操作具５０が表示具４７を上記の全開位置Ｘから全閉位置Ｙへ押圧バネ４８に抗して回転させていくのである。
【００３８】
上記の第２実施形態は次のように変更可能である。
上記の操作具５０は、推進ネジ部材２３に設けることに代えてハンドル２４に設けてもよく、さらには、推進ネジ部材２３とハンドル２４との両方に設けてもよい。
また、前記の表示具４７と操作具５０との両者は、磁力によって追従可能なものであればよく、少なくとも一方を磁石で構成しておけばよい。
前記の中空リング４６は、透明体で構成することに代えて、不透明体で構成することも可能である。この場合には、その不透明の中空リング４６の周壁には、表示具４７の回転位置を外部から視認するための覗き窓を開口することが考えられる。
【００３９】
上記の第１と第２の各実施形態は、さらに次のように変更可能である。
前記ハウジング２は、例示したように二つのハウジング部分２ａ・２ｂによって構成することに代えて、三つ以上のハウジング部分によって構成してもよい。さらには、そのハウジング２は、一体もので構成することも可能である。
前記の推進ネジ部材２３に連結される回転操作部は、例示した車輪状のハンドル２４に代えて、レバー形や角形などの他の形状であっても差し支えない。
本発明が適用される止め弁は、例示した容器弁１に代えて、配管の途中に設ける配管弁であってもよい。
【図面の簡単な説明】
【図１】本発明の第１実施形態を示し、バルブの縦断面図である。
【図２】上記バルブに設けた開閉表示装置の展開斜視図である。
【図３】上記の開閉表示装置の作動説明図である。
【図４】本発明の第２実施形態を示している。図４(Ａ)は、前記の図１に相当する部分図である。図４(Ｂ)は、上記の図４(Ａ)中の４Ａ−４Ａ線矢視に相当する断面図である。
【符号の説明】
２…ハウジング、１２…閉鎖部材(ダイヤフラム)、２０…蓋部材、２０ａ…外ネジ、２０ｂ…内ネジ、２１…ロックナット、２３…推進ネジ部材、２４…回転操作部(ハンドル)、３１…表示筒、３２…係合具、３８…弾性手段(捩りコイルバネ)、３８ａ…捩りコイルバネの一端(上端)、３８ｂ…捩りコイルバネの他端(下端)、４１…開閉表示部、４５…カバー筒、４６…中空リング、４７…表示具、４８…押圧バネ、４９…ストッパー、５０…操作具、Ｘ…全開位置。
【図１】
0004256960.tif 000002
【図２】
0004256960.tif 000003
【図３】
0004256960.tif 000004
【図４】
0004256960.tif 000005